(57)【特許請求の範囲】
【請求項１】
眼鏡に取り付け可能となっており、眼鏡とともに使用するマスクから眼鏡のレンズに向かって漏れる息を抑制する眼鏡レンズ曇り防止器具であって、
マスク押さえ位置と解除位置との間で変位可能となっており、解除位置において、眼鏡フレームに沿っていることを特徴とする眼鏡レンズ曇り防止器具。
【請求項２】
眼鏡レンズ曇り防止器具は、眼鏡に着脱自在となっていることを特徴とする請求項１に記載の眼鏡レンズ曇り防止器具。
【請求項３】
眼鏡レンズ曇り防止器具は、基端が眼鏡フレームに取り付けられており、マスク押さえ位置と解除位置との間で回動可能となっているアームと、
そのアームの先端側に設けられ、マスク押さえ位置でマスクの上部を顔に向かって抑えることで、マスクの上部と顔との隙間を小さくすることができるパッドとを有することを特徴とする請求項１又は２に記載の眼鏡レンズ曇り防止器具。
【請求項４】
眼鏡レンズ曇り防止器具は、マスク押さえ位置と解除位置との間で眼鏡フレームに対してスライド可能となっているアームと、
そのアームの先端側に設けられ、マスク押さえ位置でマスクの上部を顔に向かって抑えることで、マスクの上部と顔との隙間を小さくすることができるパッドとを有することを特徴とする請求項１又は２に記載の眼鏡レンズ曇り防止器具。
【請求項５】
アームの回動範囲又はアームのスライド範囲は、制限されていることを特徴とする請求項３又は４に記載の眼鏡レンズ曇り防止器具。
【請求項６】
眼鏡に取り付け可能となっており、眼鏡とともに使用するマスクから眼鏡のレンズに向かって漏れる息を抑制する眼鏡レンズ曇り防止器具であって、
マスク押さえ位置と解除位置との間で変位可能となっており、解除位置において、その一部が鼻あてとなるように、眼鏡フレームに沿っていることを特徴とする眼鏡レンズ曇り防止器具。
【発明の詳細な説明】
【技術分野】
【０００１】
本発明は、眼鏡とともに使用するマスクから眼鏡のレンズに向かって漏れる息を抑制する眼鏡レンズ曇り防止器具に関するものである。
【背景技術】
【０００２】
コロナウイルス等によるウイルス感染症においては、咳などによって空気中に漂う飛沫を介して感染が広がる。特に、室内などの他人と一定の距離を取ることが難しい空間では、感染予防のため、マスクの使用が推奨される。感染予防以外でも、花粉対策や飛沫対策等のため、マスクの使用が推奨される場面が多数存在する。
【０００３】
眼鏡とマスクとを同時に着用する場合、マスクの上部から眼鏡レンズと顔との間に息が漏れる場合がある。息に含まれる水分が眼鏡レンズに付着することで眼鏡が曇ってしまうことがある。
【０００４】
眼鏡とともに着用するマスクから眼鏡のレンズに向かって漏れる息を抑制する眼鏡レンズ曇り防止器具として、特許文献１に示すものがある。
【先行技術文献】
【特許文献】
【０００５】
【特許文献１】特開２０１５−２２５０８８号
【発明の概要】
【発明が解決しようとする課題】
【０００６】
他人と一定の距離を取ることが難しい空間ではマスクの着用が推奨される一方で、屋外などの他人と一定の距離を取ることができる空間では、マスクを着用しなくても感染の可能性が低い場合がある。特に、気温・湿度が高い屋外では、熱中症予防のためマスクを外したほうが良い場合もある。つまり、日常生活の中で、マスクの着けること、マスクを外すことを繰り返すこととなる。
【０００７】
マスクを外した時に特許文献１の眼鏡レンズ曇り防止器具は、眼鏡の使用において邪魔となるという問題がある。
【０００８】
また、眼鏡レンズ曇り防止器具も眼鏡から取り外すことも考えられるが、再びマスクを使用する際に、まず眼鏡レンズ曇り防止器具を眼鏡に取り付けなければならず、手間が増えるという問題がある。特に、眼鏡レンズ曇り防止器具を眼鏡に弾力のある金属の線材を曲げ加工することで構成されている。そのため、眼鏡から取り外して持ち運ぶ場合に塑性変形しやすい。
【０００９】
そこで、上記問題を解決すべく、本発明は、マスクの着けること、マスクを外すことを繰り返す日常生活に適した眼鏡レンズ曇り防止器具を提供することを目的とする。
【課題を解決するための手段】
【００１０】
請求項１の眼鏡レンズ曇り防止器具は、眼鏡に取り付け可能となっており、眼鏡とともに使用するマスクから眼鏡のレンズに向かって漏れる息を抑制する眼鏡レンズ曇り防止器具であって、マスク押さえ位置と解除位置との間で変位可能となっており、解除位置において、眼鏡フレームに沿っている。
【００１１】
請求項１の眼鏡レンズ曇り防止器具によれば、マスクを着けているときには、眼鏡レンズ曇り防止器具をマスク押さえ位置に変位させて、眼鏡とともに使用するマスクから眼鏡のレンズに向かって漏れる息を抑制することができ、マスクを外した時には、眼鏡レンズ曇り防止器具を解除位置に変位させて、眼鏡の使用において邪魔にならないようにすることができる。
【００１２】
また、請求項１の眼鏡レンズ曇り防止器具によれば、眼鏡レンズ曇り防止器具が解除位置において、眼鏡のフレームに沿っているので、解除位置において眼鏡のフレームと一体感のある美観を実現することができる。
【００１３】
請求項２の眼鏡レンズ曇り防止器具は、請求項１の眼鏡レンズ曇り防止器具において、眼鏡レンズ曇り防止器具は、眼鏡に着脱自在となっている。
【００１４】
請求項２の眼鏡レンズ曇り防止器具によれば、請求項１の眼鏡レンズ曇り防止器具と同様の作用に加えて、マスクを着ける予定がある場合には、眼鏡レンズ曇り防止器具を眼鏡に取り付けて、マスクを着ける予定がない場合には、眼鏡レンズ曇り防止器具を眼鏡から取り外すことができる。
【００１５】
請求項３の眼鏡レンズ曇り防止器具は、請求項１又は２の眼鏡レンズ曇り防止器具において、基端が眼鏡フレームに取り付けられており、マスク押さえ位置と解除位置との間で回動可能となっているアームと、そのアームの先端側に設けられ、マスク押さえ位置でマスクの上部を顔に向かって押さえることで、マスク上部と顔との隙間を小さくすることができるパッドとを有する。
【００１６】
請求項３の眼鏡レンズ曇り防止器具によれば、請求項１又は２の眼鏡レンズ曇り防止器具と同様の作用に加えて、アームの回動によってマスク押さえ位置と解除位置との間の変位を実現できる。また、アームの先端側に設けられたパッドによって、マスクの上部を顔に向かって抑える力が局所的とならないようにすることができる。
【００１７】
請求項４の眼鏡レンズ曇り防止器具は、請求項１又は２の眼鏡レンズ曇り防止器具において眼鏡レンズ曇り防止器具は、マスク押さえ位置と解除位置との間で眼鏡フレームに対してスライド可能となっているアームと、そのアームの先端側に設けられ、マスク押さえ位置でマスクの上部を顔に向かって抑えることで、マスクの上部と顔との隙間を小さくすることができるパッドとを有する。
【００１８】
請求項４の眼鏡レンズ曇り防止器具によれば、請求項１又は２の眼鏡レンズ曇り防止器具と同様の作用に加えて、アームのスライドによってマスク押さえ位置と解除位置との間の変位を実現できる。また、アームの先端側に設けられたパッドによって、マスクの上部を顔に向かって抑える力が局所的とならないようにすることができる。
【００１９】
請求項５の眼鏡レンズ曇り防止器具は、請求項３又は４の眼鏡レンズ曇り防止器具において、アームの回動範囲又はアームのスライド範囲は、制限されている。
【００２０】
請求項５の眼鏡レンズ曇り防止器具によれば、請求項３又は４の眼鏡レンズ曇り防止器具と同様の作用に加えて、アームの回動範囲又はアームのスライド範囲の一方の限界点をマスク押さえ位置とし、アームの回動範囲又はアームのスライド範囲の他方の限界点を解除位置とすることができる。
【発明の効果】
【００２１】
請求項１から５の眼鏡レンズ曇り防止器具は、眼鏡とマスクとを同時に使用する場合には、マスク押さえ位置に変位させた眼鏡レンズ曇り防止器具が眼鏡レンズ曇りを抑制し、マスクを外した場合には、速やかに眼鏡レンズ曇り防止器具を解除位置に変位させて、眼鏡のみの使用に邪魔にならないようにすることができる。これにより、マスクの着けること、マスクを外すことを繰り返す日常生活に適した眼鏡レンズ曇り防止器具を実現できる。
【図面の簡単な説明】
【００２２】
【図１】本発明の一実施形態の眼鏡レンズ曇り防止器具を取り付けた眼鏡フレームの前枠を示す正面図である。
【図２】本発明の一実施形態の眼鏡レンズ曇り防止器具を取り付けた眼鏡フレームの前枠を示す正面図である。
【図３】本発明の一実施形態の眼鏡レンズ曇り防止器具を取り付けた眼鏡フレームの前枠を示す正面図である。
【図４】本発明の一実施形態の眼鏡レンズ曇り防止器具を取り付けた眼鏡フレームの前枠を示す正面図である。
【図５】本発明の一実施形態の眼鏡レンズ曇り防止器具を取り付けた眼鏡フレームの前枠を示す正面図である。
【図６】本発明の一実施形態の眼鏡レンズ曇り防止器具を取り付けた眼鏡フレームの前枠を示す正面図及び斜視図である。
【図７】本発明の一実施形態の眼鏡レンズ曇り防止器具を取り付けた眼鏡フレームの前枠を示す正面図である。
【図８】本発明の一実施形態の眼鏡レンズ曇り防止器具を取り付けた眼鏡フレームの斜視図である。
【図９】本発明の一実施形態の眼鏡レンズ曇り防止器具を取り付けた眼鏡フレームの斜視図である。
【発明を実施するための形態】
【００２３】
本発明の一実施形態の眼鏡レンズ曇り防止器具１Ａを図１に基づいて説明する。
【００２４】
眼鏡レンズ曇り防止器具１Ａは、眼鏡１００に取り付け可能となっており、眼鏡１００とともに使用するマスクから眼鏡１００のレンズに向かって漏れる息を抑制する。
【００２５】
眼鏡レンズ曇り防止器具１Ａは、基端が眼鏡フレーム１０に取り付けられているアーム２と、そのアーム２の先端側に設けられているパッド３とを有する。
【００２６】
アーム２の基端は回動可能となっている。アーム２の回動によって、眼鏡レンズ曇り防止器具１Ａは、マスク押さえ位置と解除位置との間で変位可能となっている。
【００２７】
図１（ａ）は、眼鏡レンズ曇り防止器具１Ａが解除位置にある状態を示す。
【００２８】
アーム２の基端が眼鏡フレーム１０のレンズの下側を支持する下側リム１１に取り付けられている。解除位置では、アーム２の基端が下側リム１１のブリッジ１２に近い位置となり、アーム２の先端がアーム２の基端と智１３との間に位置するようになっている。眼鏡レンズ曇り防止器具１Ａは、解除位置において、眼鏡フレーム１０である下側リム１１に沿っている。
【００２９】
眼鏡レンズ曇り防止器具１Ａは、解除位置では、パッド３は正面視で下側リム１１と重なるようになっている。そのため、眼鏡１００とマスクとを同時に使用していない場合に、パッド３が邪魔にならないようになっている。
【００３０】
図１（ｂ）の矢印Ａに示すように、眼鏡レンズ曇り防止器具１Ａは、アーム２が、アーム２の基端を中心に回動可能となっている。回動軸は、図１の紙面に略直角となっている。
【００３１】
アーム２の回動範囲は、制限されている。アーム２の一方の回動限界が図１（ａ）の眼鏡レンズ曇り防止器具１Ａの解除位置である。アーム２の他方の回動限界が図１（ｂ）の眼鏡レンズ曇り防止器具１Ａのマスク押さえ位置である。眼鏡レンズ曇り防止器具１Ａは、解除位置からアーム２の先端が眼鏡フレーム１０から離間する方向に回動することによって、マスク押さえ位置に変位する。
【００３２】
眼鏡１００とマスクとを同時に着用する場合、マスクの上部から眼鏡レンズと顔との間に息が漏れる。特に眼鏡１００の鼻あて１４の下方において、マスクの上部と顔との間に生じる隙間から息が漏れてくる。
【００３３】
眼鏡レンズ曇り防止器具１Ａは、図１（ｂ）のマスク押さえ位置で、パッド３が眼鏡１００の鼻あて１４の下方において、マスクの上部を顔に向かって押さえる。これにより、マスクの上部と顔との隙間を小さくすることができる。
【００３４】
本発明の別の一実施形態の眼鏡レンズ曇り防止器具１Ｂを図２に基づいて説明する。
【００３５】
眼鏡レンズ曇り防止器具１Ａと共通する構成及び動作は説明を省略する。
【００３６】
図２（ａ）は、眼鏡レンズ曇り防止器具１Ｂが解除位置にある状態を示す。
【００３７】
アーム２の基端が眼鏡フレーム１０のレンズの下側を支持する下側リム１１に取り付けられている。解除位置では、下側リム１１において、アーム２の基端が下側リム１１のブリッジ１２に近い位置となり、アーム２の先端が下側リム１１のアーム２の基端とブリッジ１２との間に位置するようになっている。眼鏡レンズ曇り防止器具１Ｂは、解除位置において、眼鏡フレーム１０である下側リム１１に沿っている。
【００３８】
図２（ｂ）の矢印Ｂに示すように、眼鏡レンズ曇り防止器具１Ｂは、アーム２が、アーム２の基端を中心に回動可能となっている。回動軸は、図２の紙面に略直角となっている。
【００３９】
アーム２の回動範囲は、制限されている。アーム２の一方の回動限界が図２（ａ）の眼鏡レンズ曇り防止器具１Ｂの解除位置であり、アーム２の他方の回動限界が図２（ｂ）の眼鏡レンズ曇り防止器具１Ｂのマスク押さえ位置である。
【００４０】
本発明の別の一実施形態の眼鏡レンズ曇り防止器具１Ｃを図３に基づいて説明する。
【００４１】
眼鏡レンズ曇り防止器具１Ａと共通する構成及び動作は説明を省略する。
【００４２】
図３（ａ）は、眼鏡レンズ曇り防止器具１Ｃが解除位置にある状態を示す。
【００４３】
アーム２の基端が眼鏡フレーム１０のレンズの下側を支持する下側リム１１に取り付けられている。解除位置では、アーム２の基端が下側リム１１の中央の位置となり、アーム２の先端が下側リム１１のアーム２の基端と智１３との間に位置するようになっている。眼鏡レンズ曇り防止器具１Ｃは、解除位置において、眼鏡フレーム１０である下側リム１１に沿っている。
【００４４】
図３（ｂ）の矢印Ｃに示すように、眼鏡レンズ曇り防止器具１Ｃは、アーム２が、アーム２の基端を中心に回動可能となっている。回動軸は、図３の紙面に略直角となっている。
【００４５】
アーム２の回動範囲は、制限されている。アーム２の一方の回動限界が図３（ａ）の眼鏡レンズ曇り防止器具１Ｃの解除位置であり、アーム２の他方の回動限界が図３（ｂ）の眼鏡レンズ曇り防止器具１Ｃのマスク押さえ位置である。
【００４６】
本発明の別の一実施形態の眼鏡レンズ曇り防止器具１Ｄを図４に基づいて説明する。
【００４７】
眼鏡レンズ曇り防止器具１Ａと共通する構成及び動作は説明を省略する。
【００４８】
図４（ａ）は、眼鏡レンズ曇り防止器具１Ｄが解除位置にある状態を示す。
【００４９】
アーム２の基端が眼鏡フレーム１０のレンズの下側を支持する下側リム１１に取り付けられている。解除位置では、アーム２の基端が下側リム１１の智１３に近い位置となり、アーム２の先端が下側リム１１のブリッジ１２に近い位置となっている。眼鏡レンズ曇り防止器具１Ｄは、解除位置において、眼鏡フレーム１０である下側リム１１に沿っている。
【００５０】
図４（ｂ）の矢印Ｄに示すように、眼鏡レンズ曇り防止器具１Ｄは、アーム２が、アーム２の基端を中心に回動可能となっている。回動軸は、図４の紙面に略直角となっている。
【００５１】
アーム２の回動範囲は、制限されている。アーム２の一方の回動限界が図４（ａ）の眼鏡レンズ曇り防止器具１Ｄの解除位置であり、アーム２の他方の回動限界が図４（ｂ）の眼鏡レンズ曇り防止器具１Ｄのマスク押さえ位置である。
【００５２】
アーム２の基端付近と下側リム１１との間には、付勢手段４が設けられている。付勢手段４は、図４（ｂ）に示すように、アーム２の先端が眼鏡フレーム１０から離間する方向に付勢している。
【００５３】
フック５が下側リム１１に設けられている。このフック５にアーム２を引っ掛けることによって、図４（ａ）の解除位置において、眼鏡レンズ曇り防止器具１Ｄが眼鏡フレーム１０である下側リム１１に沿っている状態を維持することができる。
【００５４】
図４（ａ）の解除位置でフック５にアーム２が引っかかっている状態を解除すれば、付勢手段４の付勢によって、眼鏡レンズ曇り防止器具１Ｄは、図４（ｂ）のマスク押さえ位置に変位するようになっている。
【００５５】
本発明の別の一実施形態の眼鏡レンズ曇り防止器具１Ｅを図５に基づいて説明する。
【００５６】
眼鏡レンズ曇り防止器具１Ａと共通する構成及び動作は説明を省略する。
【００５７】
図５（ａ）は、眼鏡レンズ曇り防止器具１Ｅが解除位置にある状態を示す。
【００５８】
アーム２の基端が眼鏡フレーム１０のレンズの下側を支持する下側リム１１に取り付けられている。解除位置では、下側リム１１において、アーム２の基端が下側リム１１のブリッジ１２に近い位置となり、アーム２の先端がアーム２の基端と智１３との間に位置するようになっている。アーム２は基端と先端との間で曲がっている。アーム２の長さは眼鏡レンズ曇り防止器具１Ａのアーム２より長くなっている。眼鏡レンズ曇り防止器具１Ｅは、アーム２が基端と先端との間で眼鏡フレーム１０の形状に合わせて曲げられているため、解除位置において、眼鏡フレーム１０である下側リム１１に沿っている。
【００５９】
図５（ｂ）の矢印Ｅに示すように、眼鏡レンズ曇り防止器具１Ｅは、アーム２が、アーム２の基端を中心に回動可能となっている。回動軸は、図５の紙面に略直角となっている。
【００６０】
アーム２の回動範囲は、制限されている。アーム２の一方の回動限界が図５（ａ）の眼鏡レンズ曇り防止器具１Ｅの解除位置であり、アーム２の他方の回動限界が図５（ｂ）の眼鏡レンズ曇り防止器具１Ｅのマスク押さえ位置である。
【００６１】
図５（ｂ）中において、マスク押さえ位置では、右側の眼鏡レンズ曇り防止器具１Ｅが、左側の鼻あての下方において、マスクの上部を顔に向かって押さえる。同様に、マスク押さえ位置では、左側の眼鏡レンズ曇り防止器具１Ｅが、右側の鼻あての下方において、マスクの上部を顔に向かって押さえる。図５（ｂ）に示すように、マスク押さえ位置では、正面視で、右側の眼鏡レンズ曇り防止器具１Ｅのアーム２と左側の眼鏡レンズ曇り防止器具１Ｅのアーム２とが途中で交差するようになっている。
【００６２】
本発明の別の一実施形態の眼鏡レンズ曇り防止器具１Ｆを図６に基づいて説明する。
【００６３】
眼鏡レンズ曇り防止器具１Ａと共通する構成及び動作は説明を省略する。
【００６４】
図６（ａ）及び（ｃ）は、眼鏡レンズ曇り防止器具１Ｆが解除位置にある状態を示す。
【００６５】
アーム２の基端が眼鏡フレーム１０のレンズの下側を支持する下側リム１１であって、下側リム１１の顔側と反対側の面に取り付けられている。解除位置では、眼鏡レンズ曇り防止器具１Ｆは、解除位置において眼鏡フレーム１０の一部の形状と重なるような形状となっており、眼鏡フレーム１０に沿っている。
【００６６】
図６（ｄ）の矢印Ｆに示すように、眼鏡レンズ曇り防止器具１Ｆは、アーム２が、アーム２の基端を中心に回動可能となっている。回動軸は、図６（ａ）及び（ｂ）の紙面の法線ベクトルに略直角となっている。図６（ｃ）の解除位置では、アーム２及びパッド３がフリップアップした状態となっている。図６（ｄ）のマスク押さえ位置では、アーム２及びパッド３がフリップダウンした状態となっている。
【００６７】
アーム２の回動範囲は、制限されている。アーム２の一方の回動限界が図６（ａ）及び（ｃ）の眼鏡レンズ曇り防止器具１Ｆの解除位置であり、アーム２の他方の回動限界が図６（ｂ）及び（ｄ）の眼鏡レンズ曇り防止器具１Ｆのマスク押さえ位置である。
【００６８】
本発明の別の一実施形態の眼鏡レンズ曇り防止器具１Ｇを図７に基づいて説明する。
【００６９】
眼鏡レンズ曇り防止器具１Ｇは、眼鏡フレーム１０に対してスライド可能に取り付けられているアーム２と、そのアーム２の先端に設けられているパッド３とを有する。
【００７０】
アーム２のスライドによって、眼鏡レンズ曇り防止器具１Ｇは、マスク押さえ位置と解除位置との間で変位可能となっている。
【００７１】
図７（ａ）は、眼鏡レンズ曇り防止器具１Ｇが解除位置にある状態を示す。
【００７２】
アーム２は、図７の正面視で略コの字状の棒体である。アーム２は、眼鏡フレーム１０のスライド受け部６を貫通している両先端側にそれぞれ、パッド３が設けられている。つまり、パッド３はスライド受け部６の下方において上下に変位可能となっている。解除位置では、図７（ａ）に示すように、パッド３がスライド受け部６に当接している位置となっている。眼鏡レンズ曇り防止器具１Ｇは、解除位置において、眼鏡フレーム１０に沿っている。
【００７３】
眼鏡レンズ曇り防止器具１Ｇは、解除位置では、パッド３は正面視で眼鏡フレーム１０と重なるようになっている。そのため、眼鏡とマスクとを同時に使用していない場合に、パッド３が邪魔にならないようになっている。
【００７４】
図７（ｂ）の矢印Ｇに示すように、眼鏡レンズ曇り防止器具１Ｇは、正面視でアーム２が上下にスライド可能となっている。アーム２とパッド３は一体となっているので、アーム２のスライドに伴ってパッド３も上下にスライド可能となっている
【００７５】
アーム２のスライド範囲は、制限されている。アーム２の一方のスライド限界が図７（ａ）の眼鏡レンズ曇り防止器具１Ｇの解除位置である。アーム２の他方のスライド限界が図７（ｂ）の眼鏡レンズ曇り防止器具１Ｇのマスク押さえ位置である。
【００７６】
眼鏡１００とマスクとを同時に着用する場合、マスクの上部から眼鏡レンズと顔との間に息が漏れる。特に眼鏡１００の鼻あて１４の下方において、マスクの上部と顔との間に生じる隙間から息が漏れてくる。
【００７７】
眼鏡レンズ曇り防止器具１Ｇは、図７（ｂ）のマスク押さえ位置で、パッド３が眼鏡１００の鼻あて１４の下方において、マスクの上部を顔に向かって押さえる。これにより、マスクの上部と顔との隙間を小さくすることができる。
【００７８】
眼鏡レンズ曇り防止器具１Ａ〜１Ｇは、例えば、クリップ等の眼鏡フレームに着脱自在となるような構成をさらに有していてもよい。
【００７９】
上記実施形態では、図１〜図７にそれぞれ示すような構成の眼鏡レンズ曇り防止器具１Ａ〜１Ｇについて説明したが、これに限定されることはない。眼鏡レンズ曇り防止器具は、マスク押さえ位置と解除位置との間で変位可能となっており、マスク押さえ位置において、眼鏡とともに使用するマスクから眼鏡のレンズに向かって漏れる息を抑制できればよい。
【００８０】
上記実施形態では、図１〜図７にそれぞれ示すようなパッド３の形状について説明したが、これに限定されることはない。眼鏡レンズ曇り防止器具のパッドは、眼鏡の鼻あての下方において、マスクの上部を顔に向かって押さえることができれば、自由に形状を変更してもよい。
【００８１】
上記実施形態では、アーム２の先端側にパッド３が設けられている場合について説明したが、例えば、パッドがアームの軸方向に、アームに対してスライド可能となっており、眼鏡レンズ曇り防止器具がマスク押さえ位置にある場合に、パッドがマスクの上部を押さえる位置を調整可能となっていてもよい。
【００８２】
上記実施形態の眼鏡レンズ曇り防止器具１では、アーム２の基端が眼鏡フレーム１０のレンズの下側を支持する下側リム１１であって、下側リム１１の顔側と反対側の面に取り付けられている場合について説明したが、例えば、アームの基端が眼鏡フレームのレンズの下側を支持する下側リムであって、下側リムの顔側の面に取り付けられていてもよい。アーム及びパッドがフリップアップ及びフリップダウンする動作を、鼻あてやクリングスが干渉しないように、アーム２、パッド、鼻あて及びクリングスの配置・形状を工夫することは当然に行われることである。
【００８３】
本発明の別の一実施形態の眼鏡レンズ曇り防止器具１Ｈを図８に基づいて説明する。
【００８４】
眼鏡レンズ曇り防止器具１Ａと共通する構成及び動作は説明を省略する。
【００８５】
眼鏡レンズ曇り防止器具１Ｈは、図８（ｂ）の矢印Ｈに示すように、基端が眼鏡フレーム１０に対して回動可能となっているアーム２を有する。
【００８６】
図８（ａ）の解除位置では、眼鏡レンズ曇り防止器具１Ｈがフリップアップした状態となっている。図８（ｂ）のマスク押さえ位置では、アーム２がフリップダウンした状態となっている。
【００８７】
アーム２の基端は、眼鏡フレーム１０の下側リム１１の顔側の面に取り付けられている。
【００８８】
アーム２は、図８（ａ）に示すように、解除位置において、眼鏡フレーム１０と重なった状態のまま、基端から下側リム１１からブリッジ１２近くを通過して上側リム１５へ先端が到達するように延びている。
【００８９】
図８（ａ）の解除位置では、眼鏡レンズ曇り防止器具１Ｈのアーム２は、眼鏡フレーム１０の一部の形状と重なるような形状となっており、眼鏡フレーム１０に沿っている。
【００９０】
また、眼鏡レンズ曇り防止器具１Ｈのアームは、図８（ａ）の解除位置において、その一部が鼻あてとなるように、眼鏡フレーム１０に沿っている。
【００９１】
具体的には、図８（ａ）の解除位置において、アーム２の基端から眼鏡フレーム１０のブリッジ１２に向かって延びる部分が、眼鏡フレームのフロント（前枠）の厚さ方向に厚くなっている。これにより、アーム２は、鼻あて面２１を有する構成となっている。
【００９２】
眼鏡レンズ曇り防止器具１Ｈを取り付けた眼鏡フレーム１０は、鼻あてが眼鏡フレームと一体となっている鼻盛りタイプとして使用することができる。
【００９３】
アーム２の先端付近は、図８（ａ）の解除位置において、眼鏡フレーム１０のブリッジ１２近傍から上側リム１５に沿って途中で曲がった形状となっている。
【００９４】
アーム２の先端付近は、図８（ｂ）のマスク押さえ位置において、眼鏡とともに使用するマスクの上部を顔に向かって押さえる。アーム２の先端付近が曲がっていることによって、アーム２の先端付近は、マスクの上部において眼鏡のレンズに向かって息が漏れそうな範囲を広めに押さえることができるようになっている。
【００９５】
アーム２の回動範囲は、制限されている。アーム２の一方の回動限界が図８（ａ）の眼鏡レンズ曇り防止器具１Ｈの解除位置であり、アーム２の他方の回動限界が図８（ｂ）の眼鏡レンズ曇り防止器具１Ｈのマスク押さえ位置である。
【００９６】
本発明の別の一実施形態の眼鏡レンズ曇り防止器具１Ｉを図９に基づいて説明する。
【００９７】
眼鏡レンズ曇り防止器具１Ａと共通する構成及び動作は説明を省略する。
【００９８】
眼鏡レンズ曇り防止器具１Ｉは、図９（ｂ）の矢印Iに示すように、基端が眼鏡フレーム１０に対して回動可能となっているアーム２を有する。
【００９９】
図９（ａ）は、眼鏡レンズ曇り防止器具１Ｉが解除位置となっている。図９（ｂ）は、眼鏡レンズ曇り防止器具１Ｉがマスク押さえ位置となっている。
【０１００】
アーム２の基端は、眼鏡フレーム１０の智１３の顔側の面に取り付けられている。
【０１０１】
アーム２は、図９（ａ）に示すように、解除位置において、眼鏡フレーム１０と重なった状態のまま、基端から智１３、下側リム１１、ブリッジ１２近くの順に通過して上側リム１５へ到達するように延びている。
【０１０２】
図９（ｂ）においては露出しているように、眼鏡フレーム１０の上側リム１５の顔側の面に解除位置穴１６が設けられている。解除位置穴１６には、解除位置にある眼鏡レンズ曇り防止器具１Ｉのアーム２の先端が到達するようになっている。
【０１０３】
図９では図示できないが、アーム２の先端付近には、解除位置穴１６に嵌合自在となっている突起が設けられている。
【０１０４】
図９（ａ）の解除位置では、解除位置穴１６にアーム２の先端付近の突起が嵌合している。眼鏡レンズ曇り防止器具１Ｉのアーム２は、眼鏡フレーム１０の一部の形状と重なるような形状となっており、眼鏡フレーム１０に沿っている。
【０１０５】
また、眼鏡レンズ曇り防止器具１Ｉのアームは、図９（ａ）の解除位置において、その一部が鼻あてとなるように、眼鏡フレーム１０に沿っている。
【０１０６】
具体的には、図９（ａ）の解除位置において、アーム２の下側リム１１に重なりつつブリッジ１２に向かって延びる部分が、眼鏡フレームのフロント（前枠）の厚さ方向に厚くなっている。これにより、アーム２には、鼻あて面２１を有する構成となっている。
【０１０７】
眼鏡レンズ曇り防止器具１Ｉを取り付けた眼鏡フレーム１０は、鼻あてが眼鏡フレームと一体となっている鼻盛りタイプとして使用することができる。
【０１０８】
図９（ａ）及び（ｂ）においては、アーム２の陰に隠れており部分的にしか見えないが、眼鏡フレーム１０の下側リム１１の顔側の面にマスク押さえ位置穴１７が設けられている。マスク押さえ位置穴１７には、マスク押さえ位置にある眼鏡レンズ曇り防止器具１Ｉのアーム２の先端が到達するようになっている。
【０１０９】
図９（ａ）の解除位置において、解除位置穴１６からアーム２の先端付近の突起を抜く。
【０１１０】
次に、基端を中心にアーム２を回動させて、アーム２の先端付近の突起をマスク押さえ位置穴１７に嵌合させる。これにより、図９（ｂ）に示すような、眼鏡レンズ曇り防止器具１Ｈをマスク押さえ位置へと変位させることができる。
【０１１１】
上記実施形態の眼鏡レンズ曇り防止器具１Ｈ〜１Ｉでは、図８及び図９にそれぞれ示すような構成について説明したが、これに限定されることはない。眼鏡レンズ曇り防止器具は、マスク押さえ位置と解除位置との間で変位可能となっており、マスク押さえ位置において、眼鏡とともに使用するマスクから眼鏡のレンズに向かって漏れる息を抑制できればよい。
【０１１２】
上記実施形態の眼鏡レンズ曇り防止器具１Ｈ〜１Ｉでは、図８及び図９にそれぞれ示すようなアームの形状について説明したが、これに限定されることはない。眼鏡レンズ曇り防止器具のアームは、眼鏡の鼻あての下方において、マスクの上部を顔に向かって押さえることができれば、自由に形状を変更してもよい。
【０１１３】
上記実施形態の眼鏡レンズ曇り防止器具１Ｈ〜１Ｉでは、図８及び図９にそれぞれ示すようなアームが直接マスクを押さえる場合について説明したが、これに限定されることはない。眼鏡レンズ曇り防止器具のアームの先端にマスクを押さえるパッド等の別部材が取り付けられていてもよい。
【０１１４】
上記実施形態の眼鏡レンズ曇り防止器具１Ｈ〜１Ｉでは、アーム２の形状が一定の場合について説明したが、例えば、アームが伸縮、曲げ等の変形が可能となっていてもよく、眼鏡レンズ曇り防止器具がマスク押さえ位置にある場合に、アームがマスクの上部を押さえる位置を調整可能となっていてもよい。
【符号の説明】
【０１１５】
１Ａ〜１Ｉ      レンズ曇り防止器具
２      アーム
３      パッド
４      付勢手段
５      フック
６      スライド受け部６
１０    眼鏡フレーム
１１    下側リム
１２    ブリッジ
１３    智
１４    鼻あて
１５    上側リム
１６    解除位置穴
１７    マスク押さえ位置穴
１００  眼鏡
【要約】
【課題】マスクの着けること、マスクを外すことを繰り返す日常生活に適した眼鏡レンズ曇り防止器具を提供すること。
【解決手段】眼鏡レンズ曇り防止器具１Ａは、眼鏡に取り付け可能となっている。眼鏡レンズ曇り防止器具１Ａは、マスク押さえ位置と解除位置との間で変位可能となっており、眼鏡とともに使用するマスクから眼鏡１００のレンズに向かって漏れる息を抑制する、マスクを着けているときには、眼鏡レンズ曇り防止器具１Ａをマスク押さえ位置に変位させて、眼鏡とともに使用するマスクから眼鏡のレンズに向かって漏れる息を抑制することができ、マスクを外した時には、眼鏡レンズ曇り防止器具１Ａを解除位置に変位させて、眼鏡１００の使用において邪魔にならないようにすることができる。
【選択図】  図１【図１】
0006928993.tif 000002
【図２】
0006928993.tif 000003
【図３】
0006928993.tif 000004
【図４】
0006928993.tif 000005
【図５】
0006928993.tif 000006
【図６】
0006928993.tif 000007
【図７】
0006928993.tif 000008
【図８】
0006928993.tif 000009
【図９】
0006928993.tif 000010